(57)【要約】【課題】圧縮空気又は圧縮液体をノズルの先端からジェット流として口腔内に吐出させ、歯垢や歯間に挟まった食べ物の滓等を効果的に除去することができる口腔洗浄具を小型、かつ容易に携帯可能として、歯科医院等の専門施設に行かなくても、簡便に使用することができるようにする。【解決手段】シリンダ５に気密にかつ往復動可能に嵌合したピスン６を手動操作して往復動させ、圧縮した空気を空気ボンベ３内に貯溜しておき、該圧縮空気（又は圧縮液体）をノズル４からジェット流として吐出させて歯垢や歯８５ａ間に挟まった食べ物の滓を除去し、口腔８５内を効果的に洗浄するようにした構成を特徴とする。【選択図】　　　　図８
2004073558.tif 000002
【特許請求の範囲】
【請求項１】
手動操作することにより流体を圧縮する圧縮ポンプと、該圧縮ポンプに連通して接続可能に構成され入力側に逆止弁が配設されると共に出力側に開閉弁が配設され圧縮流体を貯蔵するボンベと、該ボンベの前記出力側に連通して接続可能に構成され前記開閉弁を開放して前記圧縮流体を吐出するノズルとを備えたことを特徴とする口腔洗浄具。
【請求項２】
円筒形のシリンダと該シリンダに気密にかつ往復動可能に嵌合し逆止弁機能を有するピストンと一端が該ピストンに固定されたピストンロッドの他の一端が固定され前記シリンダに嵌合して軸方向に摺動自在に配設された操作シリンダとからなり該操作シリンダを手動操作して往復動させることによって前記ピストンを前記シリンダ中で往復動させ空気を圧縮する空気圧縮ポンプと、該空気圧縮ポンプに連通させて接続可能に構成され入力側に逆止弁が配設されると共に出力側に開閉弁が配設され前記空気圧縮ポンプによって圧縮された圧縮空気を貯蔵する空気室が設けられた空気ボンベと、該空気ボンベの前記出力側に連通させて接続可能に構成され前記開閉弁を開放したとき前記空気ボンベに貯溜されている前記圧縮空気を吐出するノズルとを備えたことを特徴とする口腔洗浄具。
【請求項３】
円筒形のシリンダと該シリンダに気密にかつ往復動自在に嵌合する逆止弁機能を有するピストンと一端が該ピストンに固定されたピストンロッドの他の一端が連結された揺動リンクとからなり該揺動リンクを手動操作して揺動させることにより前記ピストンを前記シリンダ中で往復動させて空気を圧縮する空気圧縮ポンプと、該空気圧縮ポンプに連通させて接続可能に構成され入力側に逆止弁が配設されると共に出力側に開閉弁が配設され前記空気圧縮ポンプによって圧縮された圧縮空気を貯蔵する空気室が設けられた空気ボンベと、該空気ボンベの前記出力側に連通させて接続可能に構成され前記開閉弁を開放したとき前記空気ボンベに貯溜されている前記圧縮空気を吐出するノズルとを備えたことを特徴とする口腔洗浄具。
【請求項４】
円筒形のシリンダと該シリンダに気密にかつ往復動自在に嵌合する逆止弁機能を有するピストンと一端が該ピストンに固定されたピストンロッドの他の一端が固定され前記シリンダに嵌合して軸方向に摺動自在に配設された操作シリンダとからなり該操作シリンダを手動操作して往復動させることによって前記ピストンを前記シリンダ中で往復動させて空気を圧縮する空気圧縮ポンプと、貯溜室内で摺動自在に配設されたピストンにより圧縮空気室と圧縮液体室とに隔離され前記空気圧縮ポンプに連通させて接続可能に構成された前記圧縮空気室には逃がし弁及び該圧縮空気室から外部への圧縮空気の流出を阻止する逆止弁が配設されると共に前記圧縮液体室には開閉弁が配設されたボンベと、前記圧縮液体室に連通させて接続可能に構成され前記開閉弁を開放したとき前記圧縮液体室に貯溜されている前記圧縮液体を吐出するノズルとを備えたことを特徴とする口腔洗浄具。
【請求項５】
円筒形のシリンダと該シリンダに気密にかつ往復動自在に嵌合する逆止弁機能を有するピストンと一端が該ピストンに固定されたピストンロッドの他の一端が固定され前記シリンダに嵌合して軸方向に摺動自在に配設された操作シリンダとからなり該操作シリンダを手動操作して往復動させることによって前記ピストンを前記シリンダ中で往復動させて空気を圧縮する空気圧縮ポンプと、該空気圧縮ポンプに連通させて接続する接続口が設けられると共に貯溜する圧縮空気が外部に流出するのを阻止する逆止弁が設けられ前記空気圧縮ポンプにより圧縮された圧縮空気を貯溜するカートリッジ式空気ボンベと、開閉弁が配設されると共に前記カートリッジ式空気ボンベの前記接続口に接続したとき前記逆止弁を開放して前記カートリッジ式空気ボンベと連通させ前記カートリッジ式空気ボンベに貯溜されている前記圧縮空気を吐出するノズルとを備えたことを特徴とする口腔洗浄具。
【請求項６】
表面に多数本の毛が植毛されると共に小径の吐出孔が前記ボンベの出力側に装着するねじ穴に連通して形成されたブラシ部材を前記ボンベの先端ねじ部に装着するように構成したことを特徴とする請求項１から請求項５のいずれかに記載の口腔洗浄具。
【発明の詳細な説明】
【０００１】
【発明の属する技術分野】
本発明は、手動式の口腔洗浄具に係り、特に手動操作して圧縮した圧縮空気又は圧縮液体を先端のノズルから吐出させて簡易に口腔内を洗浄できるようにした小型、かつ容易に携帯可能な手動式口腔洗浄具に関する。
【０００２】
【従来の技術】
口腔内を清浄に維持するための用具としては、従来歯ブラシ、歯間ブラシ、糸楊枝等があり、また、清浄剤としては、ペースト状の歯磨きや口に含んで数十秒間すすぐことにより歯垢を除去すると共に、殺菌して口臭を予防する液体歯磨き等が知られている。
しかし、歯ブラシ等で口腔内を清浄にするには、正しい磨き方で比較的長い時間ブラッシングする必要があり、なかなか効果的に実践することが難しい問題点があった。
【０００３】
一方、より効果的に口腔内を清浄にする用具として、ノズルの先端から圧縮空気や、清浄液又は水等の圧縮液体をジェット流として吐出させ、該ジェット流で歯垢や歯間に挟まった食べ物の滓を除去するようにしたジェット流口腔清浄装置が知られている。
該ジェット流口腔清浄装置は、空気を圧縮するためのコンプレッサを必要とし、また該コンプレッサとノズルを繋ぐチューブなどがあるため、装置が大型となるばかりでなく、価格も高価であり、歯科医院等の専門的な施設にしか設置されておらず、一般家庭で手軽に使用することは困難であった。また、大型であることから、携帯することができず、旅行等のときに簡単に携帯することができない欠点があった。
【０００４】
【発明が解決しようとする課題】
本発明は，上記した従来技術の欠点を除くためになされたものであって、その目的とするところは、ボンベ中に圧縮して貯蔵されている圧縮流体をノズルから吐出させることにより、ジェット流で歯垢や歯間に挟まった食べ物の滓を除去することができるようにすることであり、またこれによって短時間で効果的に口腔内を清浄にすることができるようにすることである。
【０００５】また他の目的は、シリンダに気密にかつ往復動可能に嵌合したピストンを、操作シリンダを手動操作して往復動させることによりシリンダ中で往復動させて空気を圧縮するようにし、電気等の特別の駆動源を用いることなく、どこでも、且つ簡単に圧縮空気を製造して空気ボンベに貯溜することができるようにすることであり、また該空気ボンベにノズルを接続し、該ノズルから圧縮空気を吐出させて口腔内を清浄にすることができるようにすることである。
また歯科医院等の専門施設に行かなくても、簡便に使用することができる安価、かつ小型で容易に携帯することができる口腔洗浄具を提供することである。
【０００６】更に他の目的は、シリンダに気密にかつ往復動自在に嵌合する逆止弁機能を有するピストンに、ピストンロッドの一端を固定し、他の一端を揺動リンクに連結して空気圧縮ポンプを構成し、該揺動リンクを手動で揺動させてピストンをシリンダ中で往復動させて空気を圧縮することにより、誰でも極めて容易に操作することができる操作性の優れた手動の空気圧縮ポンプを提供することである。
また該空気圧縮ポンプで圧縮した空気を空気ボンベに貯蔵しておき、開閉弁を開放してノズルから吐出させることにより、効果的に口腔を洗浄することができる口腔洗浄具を動力源のない場所でも簡単に使用することができるようにすることであり、また空気ボンベに貯蔵した圧縮空気が消費されてなくなっても、単に手動で揺動リンクを揺動させるだけで、補給することができるようにすることである。
【０００７】また他の目的は、ボンベの貯溜室内をピストンにより圧縮空気室と圧縮液体室とに隔離し、圧縮空気室に空気圧縮ポンプを連通させて圧縮空気を供給して貯蔵すると共に、圧縮液体室をノズルに接続することにより、圧縮液体室に貯溜させた洗浄液を圧縮空気の圧力を利用して該ノズルから勢いよく吐出させ、口腔内を洗浄液によって効果的に洗浄することができるようにすることである。
【０００８】更に他の目的は、貯溜する圧縮空気が外部に流出するのを阻止する逆止弁が設けられたカートリッジ式空気ボンベの接続口に、手動操作して空気を圧縮する空気圧縮ポンプ、及び接続したとき逆止弁を開放してカートリッジ式空気ボンベと連通させるノズルとを交換して接続できるようにすることにより、予め空気圧縮ポンプでカートリッジ式空気ボンベ中に圧縮空気を貯蔵して用意しておき、使用時にはカートリッジ式空気ボンベとノズルとを接続して該カートリッジ式空気ボンベに貯蔵されていた圧縮空気をノズルから吐出させて口腔内を洗浄することができるようにすることである。
また、口腔洗浄具の携帯に先立って、空気圧縮ポンプを用いて複数本のカートリッジ式空気ボンベに圧縮空気を貯溜しておき、空気圧縮ポンプは携帯せず、カートリッジ式空気ボンベとノズルを携帯するだけで、どこでも容易に口腔洗浄具を使用することができるようにすることである。
【０００９】また他の目的は、表面に多数本の毛が植毛されると共に、小径の吐出孔が形成されたブラシ部材をボンベに装着することができるように構成し、ノズルに変えて該ボンベに装着することにより、多数本の毛で歯をブラッシングしながら、ボンベに貯溜されている圧縮空気を吐出孔から吐出させ、ブラッシングとジェット流との相乗効果で口腔内を極めて短時間で清浄に洗浄することができるようにすることである。
【００１０】
【課題を解決するための手段】
要するに本発明（請求項１）は、手動操作することにより流体を圧縮する圧縮ポンプと、該圧縮ポンプに連通して接続可能に構成され入力側に逆止弁が配設されると共に出力側に開閉弁が配設され圧縮流体を貯蔵するボンベと、該ボンベの前記出力側に連通して接続可能に構成され前記開閉弁を開放して前記圧縮流体を吐出するノズルとを備えたことを特徴とするものである。
【００１１】また本発明（請求項２）は、円筒形のシリンダと該シリンダに気密にかつ往復動可能に嵌合し逆止弁機能を有するピストンと一端が該ピストンに固定されたピストンロッドの他の一端が固定され前記シリンダに嵌合して軸方向に摺動自在に配設された操作シリンダとからなり該操作シリンダを手動操作して往復動させることによって前記ピストンを前記シリンダ中で往復動させて空気を圧縮する空気圧縮ポンプと、該空気圧縮ポンプに連通させて接続可能に構成され入力側に逆止弁が配設されると共に出力側に開閉弁が配設され前記空気圧縮ポンプによって圧縮された圧縮空気を貯蔵する空気室が設けられた空気ボンベと、該空気ボンベの前記出力側に連通させて接続可能に構成され前記開閉弁を開放したとき前記空気ボンベに貯溜されている前記圧縮空気を吐出するノズルとを備えたことを特徴とするものである。
【００１２】また本発明（請求項３）は、円筒形のシリンダと該シリンダに気密にかつ往復動自在に嵌合する逆止弁機能を有するピストンと一端が該ピストンに固定されたピストンロッドの他の一端が連結された揺動リンクとからなり該揺動リンクを手動操作して揺動させることにより前記ピストンを前記シリンダ中で往復動させて空気を圧縮する空気圧縮ポンプと、該空気圧縮ポンプに連通させて接続可能に構成され入力側に逆止弁が配設されると共に出力側に開閉弁が配設され前記空気圧縮ポンプによって圧縮された圧縮空気を貯蔵する空気室が設けられた空気ボンベと、該空気ボンベの前記出力側に連通させて接続可能に構成され前記開閉弁を開放したとき前記空気ボンベに貯溜されている前記圧縮空気を吐出するノズルとを備えたことを特徴とするものである。
【００１３】また本発明（請求項４）は、円筒形のシリンダと該シリンダに気密にかつ往復動自在に嵌合する逆止弁機能を有するピストンと一端が該ピストンに固定されたピストンロッドの他の一端が固定され前記シリンダに嵌合して軸方向に摺動自在に配設された操作シリンダとからなり該操作シリンダを手動操作して往復動させることによって前記ピストンを前記シリンダ中で往復動させて空気を圧縮する空気圧縮ポンプと、貯溜室内で摺動自在に配設されたピストンにより圧縮空気室と圧縮液体室とに隔離され前記空気圧縮ポンプに連通させて接続可能に構成された前記圧縮空気室には逃がし弁及び該圧縮空気室から外部への圧縮空気の流出を阻止する逆止弁が配設されると共に前記圧縮液体室には開閉弁が配設されたボンベと、前記圧縮液体室に連通させて接続可能に構成され前記開閉弁を開放したとき前記圧縮液体室に貯溜されている前記圧縮液体を吐出するノズルとを備えたことを特徴とするものである。
【００１４】また本発明（請求項５）は、円筒形のシリンダと該シリンダに気密にかつ往復動自在に嵌合する逆止弁機能を有するピストンと一端が該ピストンに固定されたピストンロッドの他の一端が固定され前記シリンダに嵌合して軸方向に摺動自在に配設された操作シリンダとからなり該操作シリンダを手動操作して往復動させることによって前記ピストンを前記シリンダ中で往復動させて空気を圧縮する空気圧縮ポンプと、該空気圧縮ポンプに連通させて接続する接続口が設けられると共に貯溜する圧縮空気が外部に流出するのを阻止する逆止弁が設けられ前記空気圧縮ポンプにより圧縮された圧縮空気を貯溜するカートリッジ式空気ボンベと、開閉弁が配設されると共に前記カートリッジ式空気ボンベの前記接続口に接続したとき前記逆止弁を開放して前記カートリッジ式空気ボンベと連通させ前記カートリッジ式空気ボンベに貯溜されている前記圧縮空気を吐出するノズルとを備えたことを特徴とするものである。
【００１５】また本発明（請求項６）は、上記請求項１から請求項５のいずれかに記載の口腔洗浄具記載であって、表面に多数本の毛が植毛されると共に小径の吐出孔が前記ボンベの出力側に装着するねじ穴に連通して形成されたブラシ部材を前記ボンベの先端ねじ部に装着するように構成したことを特徴とするものである。
【００１６】
【発明の実施の形態】
以下本発明を図面に示す実施例に基いて説明する。図１から図５において、本発明に係る第１実施例の口腔洗浄具１は、空気圧縮ポンプ２と、空気ボンベ３と、ノズル４とを備えている。
【００１７】空気圧縮ポンプ２は、空気を圧縮して圧縮空気を製造し空気ボンベ３に貯蔵するためのものであって、図１、図２及び図３（ａ）において、円筒形のシリンダ５内にピストン６が気密にかつ往復動可能に嵌合して配設されている。シリンダ５の先端５ａには、接続部材１１がオーリング等のシール部材１２を介して固定されている。該接続部材１１には、嵌合穴１１ａ及び雌ねじ１１ｂが形成されてシリンダ５の内部に連通している。シリンダ５の後端５ｂには、空気穴５ｃがあけられると共に、プラグ部材１３がオーリング等のシール部材１４を介して気密に固定されている。プラグ部材１３に設けられた嵌合穴１３ａには、後述するピストンロッド８が摺動自在に嵌合している。
【００１８】ピストン６は、可撓性を有するゴム等の素材をカップ形状に成形して製作されており、シリンダ５内を軸方向に摺動自在に配設され、またピストン６と接続部材１１との間には、圧縮ばね１５が配設されており、ピストン６を常に図３（ａ）において右方向に付勢している。
ピストン６を圧縮ばね１５の付勢力に抗して左方向に移動させると、ピストン６はカップ形状が開くように変形してシリンダ５と気密に嵌合し、また右方向に移動させると、カップ形状が閉じる（直径が小さくなる）ように変形してシリンダ５とピストン６との間に隙間を形成して気密状態を解除し、逆止弁として機能するようになっている。ピストン６には、ピストンロッド８の一端８ａがワッシャ９を介して固定され、ピストンロッド８の他の一端８ｂには、操作シリンダ１０が固定されている。
【００１９】操作シリンダ１０は、シリンダ５に嵌合して軸方向に摺動自在に配設されており、該操作シリンダ１０を手動操作して往復動させることによって、ピストン６をシリンダ５中で往復動させて空気を圧縮するように構成されている。
【００２０】空気ボンベ３は、図３（ｂ）、図４及び図５において、圧縮空気を貯蔵するためのものであって、空気室１８が設けられたタンク１６であり、外径部に雄ねじ１６ｆが形成された入力側の接続部１６ａには、該タンク１６の外側方向が細く形成された円錐状の弁座１６ｃが設けられている。弁座１６ｃには、ボール１９が圧縮ばね２０によって押圧されて配設されて逆止弁２７が構成されている。また入力側の接続部１６ａの外径には、オーリング等のシール部材２１が装着されており、空気圧縮ポンプ２の嵌合穴１１ａに接続したとき、空気圧縮ポンプ２と空気ボンベ３とを気密に封止して接続するようになっている。
【００２１】外径部に雄ねじ１６ｇが形成された出力側の接続部１６ｂには、空気室１８と外部とを連通させて軸方向に連通穴１６ｄが設けられると共に、該連通穴１６ｄと直角方向に交差して弁軸穴１６ｅが形成されている。弁軸穴１６ｅには、Ｅリング２４で軸方向位置が規制されて開閉弁２９の弁軸２２が回動自在に嵌合している。弁軸２２には連通穴１６ｄを挟んで２本のシール部材２３が配設され弁軸穴１６ｅとの間を気密に封止している。弁軸２２の連通穴１６ｄに対応する位置には、半径方向に貫通穴２２ａが設けられており、弁軸２２が回動して該貫通穴２２ａと連通穴１６ｄとが一致したとき、空気室１８を外部と連通させるようになっている。
【００２２】また、弁軸２２の上端には、レバー２５が固定されると共に、円周方向に２ヵ所の円錐状の凹部２２ｂが設けられ、該凹部２２ｂにはクリックボール２６が圧縮ばね２８のばね力によって押圧されて嵌合している。そして、弁軸２２を矢印Ａ又はＢ方向に回動させたとき、凹部２２ｂの何れかにクリックボール２６を係合させて弁軸２２の回転方向位相を規制するように構成されている。弁軸２２を一方の規制位置に位置させたとき、貫通穴２２ａと連通穴１６ｄとが連通するように構成されている。
【００２３】ノズル４は、図３（ｃ）において、空気室１８に貯溜されている圧縮空気を吐出するためのものであって、口腔中に挿入し易いように、略への字型に成形された径の細いパイプであり、軸方向に小径の吐出穴４ａが形成され、該ノズル４の先端に開口している。ノズル４の後端４ｃには雌ねじ４ｄが設けられており、空気ボンベ３の雄ねじ１６ｇと螺合して接続できるようになっている。
【００２４】そして、図１及び図２において、空気ボンベ３の入力側の接続部１６ａを、空気圧縮ポンプ２の嵌合穴１１ａに嵌合させて雄ねじ１６ｆと空気圧縮ポンプ２の雌ねじ１１ｂとを螺合させて接続し、更に空気ボンベ３の出力側の接続部１６ｂの雄ねじ１６ｇにノズル４の雌ねじ４ｄを螺合させて接続して口腔洗浄具１を組み立てるように構成されている。
【００２５】本発明の第２実施例の口腔洗浄具３０は、図１０から図１２において、空気圧縮ポンプ３１のみが、第１実施例の口腔洗浄具１の空気圧縮ポンプ２と異なっている。空気圧縮ポンプ３１は、円筒形のシリンダ５内にピストン６が気密にかつ往復動可能に嵌合して配設されている。シリンダ５の先端５ａには、接続部材１１がオーリング等のシール部材１２を介して固定されている。該接続部材１１には、嵌合穴１１ａ及び雌ねじ１１ｂが形成されてシリンダ５の内部に連通している。シリンダ５の後端５ｂには、プラグ部材３３がシール部材１４を介して気密に固定されている。プラグ部材３３に設けられた嵌合穴３３ａには、ピストンロッド３２が摺動自在に嵌合すると共に、外周部にレバー基台３４が固定されている。
【００２６】ピストン６は、可撓性を有するゴム等の素材をカップ形状に成形して製作されており、シリンダ５内を軸方向に摺動自在に配設され、またピストン６と接続部材１１との間には、圧縮ばね１５が配設されており、ピストン６を常に図１１において右方向に付勢している。
【００２７】ピストン６には、ピストンロッド３２の一端３２ａがワッシャ９を介して固定され、ピストンロッド３２の他の一端３２ｂには、半径方向にピン３８が貫通して固定されている。レバー基台３４に固定された支軸３５に略中央が回動自在に嵌合する揺動リンク３６の一端３６ａには長穴３６ｂが設けられ、ピン３８が摺動自在に嵌合している。そして揺動リンク３６の他の一端３６ｃを手動操作して支軸３５を中心として揺動させることによって、ピン３８を長穴３６ｂ内で摺動させながらピストンロッド３２を往復動させ、ピストン６をシリンダ５中で往復動させて空気を圧縮するように構成されている。
その他の部分については、本発明の第１実施例の空気圧縮ポンプ２と同様であるので、同一の部分には同一の符号を付してその説明を省略する。
【００２８】本発明の第３実施例の口腔洗浄具４０は、図１４から図１６において、第１実施例の口腔洗浄具１とボンベの形態が異なり、空気圧縮ポンプ２及びノズル４は同一の構造となっている。ボンベ４１の貯溜室４２は、シール部材４６が装着され、該貯溜室４２内で水密にかつ摺動自在に配設されたピストン４３によって、圧縮空気室４４と圧縮液体室４５とに気密かつ水密に隔離されている。圧縮液体室４５内には、ピストン４３との間に圧縮ばね５７が配設され、ピストン４３を常に圧縮空気室４４の方向へ付勢している。
【００２９】貯溜室４２の後端４２ａには、接続ブロック４７がねじ４８によって固定されている。該接続ブロック４７の一端には、外径部に雄ねじ４７ａが形成されると共に、圧縮空気室４４に連通する連通穴４７ｄが軸方向にあけられている。貯溜室４２と反対側の該連通穴４７ｄには、接続ブロック４７の外方が細く形成された円錐状の弁座４７ｃが設けられている。弁座４７ｃには、ボール４９が圧縮ばね５０によって押圧されて配設され、逆止弁５１が構成されている。
【００３０】また、接続ブロック４７には、連通穴４７ｄに直角方向に交差して連通する逃がし穴４７ｅが半径方向に設けられ、該逃がし穴４７ｅの途中には、逃がし弁５３の弁軸５４が回動自在に嵌合している。該弁軸５４には、逃がし穴４７ｅを挟んで２本のシール部材５５が配設され、逃がし穴４７ｅとの間を気密に封止している。弁軸５４の逃がし穴４７ｅと対向する位置には、半径方向に貫通穴５４ａがあけられると共に、外周にローレットが設けられた一端５４ｂは接続ブロック４７から突出し、該一端５４ｂを手で操作して弁軸５４を回動させて逃がし弁５３を開閉できるようになっている。
【００３１】また、接続ブロック４７の小径部には、シール部材５２が装着されており、空気圧縮ポンプ２の嵌合穴１１ａに接続したとき、空気圧縮ポンプ２と気密に接続するようになっている。
その他の部分については、本発明の第１実施例の空気圧縮ポンプ２と同様であるので、同一の部分には図面に同一の符号を付してその説明を省略する。
【００３２】本発明の第４実施例の口腔洗浄具６０は、図１９から図２２において、空気圧縮ポンプ６１と、カートリッジ式空気ボンベ６２と、ノズル６３とから構成されている。図１９及び図２０において、カートリッジ式空気ボンベ６２は、空気圧縮ポンプ６１によって圧縮された圧縮空気を貯蔵するためのものであって、圧縮空気を貯蔵する圧力室６８が形成された円筒形の容器であるタンク本体６４と、シール部材６９を介して該タンク本体６４にねじ６６によって気密に固定された蓋体６５とからなっている。
【００３３】蓋体６５には、軸方向に穴が形成され、該穴の外方部分には空気圧縮ポンプ６１及びノズル６３に接続させるための雌ねじ６５ａが形成され、内側部分には圧力室６８側が大径とされ雌ねじ６５ａ側が小径とされた段付き穴が形成され、該段付き穴の段部は円錐状に形成されて弁座６５ｂとなっている。弁座６５ｂには、ボール７０が圧縮ばね７１によって押圧されて配設され、逆止弁７２が構成されており、圧力室６８に貯溜されている圧縮空気の外部への流出を阻止するようになっている。
【００３４】空気圧縮ポンプ６１は、空気を圧縮するためのものであって、本発明の第１実施例の空気圧縮ポンプ２と同様の構造をしており、接続部材７３の形状だけが異なっている。即ち、該接続部材７３には、軸方向に嵌合穴７３ａが形成されてシリンダ５の内部と外部とを連通させると共に、軸方向に突出させて雄ねじ７３ｂが設けられている。その他の部分は、本発明の第１実施例の空気圧縮ポンプ２と同様であるので、同一の部分には図面に同一の符号を付してその説明を省略する。
【００３５】ノズル６３は、カートリッジ式空気ボンベ６２と接続されて該カートリッジ式空気ボンベ６２に貯溜されている圧縮空気を吐出するためのものであって、図２１において、本発明の第１実施例のノズル４と開閉弁機構７４とを備えている。ノズル４については、第１実施例の説明において詳述したので説明は省略する。開閉弁機構７４は、略十字形状に成形された部材であり、両端には雄ねじ７４ａ，７４ｂが設けられている。該雄ねじ７４ａ，７４ｂの中心には、連通穴７４ｃがあけられると共に、該連通穴７４ｃに直角方向に交差して弁軸穴７４ｄが形成されている。
【００３６】カートリッジ式空気ボンベ６２と接続される側の雄ねじ７４ａ部には、連通穴７４ｃに直角方向に交差する穴７４ｅがあけられた凸部７４ｆが軸方向に突出して形成されている。弁軸穴７４ｄには、Ｅリング７５で軸方向位置が規制されて開閉弁７６の弁軸７８が回動自在に嵌合し、弁軸７８には連通穴７４ｃを挟んで２本のシール部材７９が配設され弁軸穴７４ｄとの間を水密に封止している。弁軸７８の連通穴７４ｃに対応する位置には、半径方向に貫通穴７８ａが設けられており、弁軸７８が回動して該貫通穴７８ａと連通穴７４ｃとが一致したとき、ノズル４の吐出穴４ａと連通するようになっている。
【００３７】また弁軸７８の上端にはレバー２５が固定されると共に、円周方向に２ヵ所の凹部７８ｂが設けられ、該凹部７８ｂにはクリックボール２６が圧縮ばね２８のばね力によって押圧されている。そして、弁軸７８を回動させたとき、弁軸７８の回転方向位相を規制するように構成され、一方の規制位置に位置させたとき貫通穴７８ａと連通穴７４ｃとが連通するように構成されている。
【００３８】本発明の第５実施例の口腔洗浄具８０は、図１及び図３（ｄ）において、ノズル４と交換して使用するブラシ部材８１であり、該ブラシ部材８１の表面に多数本の毛８１ａが植毛されると共に、ねじ穴８１ｃに連通する多数の小径の吐出孔８１ｂが、毛８１ａが植毛された面に開口して形成されている。ねじ穴８１ｃの一端には雌ねじ８１ｄが形成され、空気ボンベ３の雄ねじ１６ｇ、ボンベ４１の雄ねじ１６ｇ、又は開閉弁機構７４の雄ねじ７４ｂと螺合して空気ボンベ３、ボンベ４１又は開閉弁機構７４と接続するように構成され、圧縮空気を吐出孔８１ｂから吐出させるようになっている。
【００３９】本発明は、上記のように構成されており、以下その作用について説明する。本発明の第１実施例の口腔洗浄具１は、図６から図９において、空気圧縮ポンプ２の雌ねじ１１ｂと空気ボンベ３の雄ねじ１６ｆとを、また空気ボンベ３の雄ねじ１６ｇとノズル４の雌ねじ４ｄとを夫々螺合させて空気圧縮ポンプ２、空気ボンベ３及びノズル４を組み付ける。
【００４０】図６において、操作シリンダ１０を手動操作して矢印Ｃ方向に押圧してピストン６をシリンダ５中で移動させると、シリンダ５内の空気は逆止弁２７のボール１９を圧縮ばね２０の力に抗して押圧して開き、矢印Ｄ方向に空気ボンベ３の空気室１８内に流入し圧縮空気として貯蔵される。ピストン６の矢印Ｃ方向への移動に伴なって、図においてピストン６の右側のシリンダ５内の空気の圧力が低減し、ピストン６を引き戻す方向に力が作用しようとするが、空気穴５ｃから空気が矢印Ｅ方向にシリンダ５内に流入してシリンダ５内の圧力を常圧に戻すので、操作シリンダ１０の操作の障害となることはない。
【００４１】図７において、操作シリンダ１０の手動による矢印Ｃ方向への押圧を解除すると、ピストン６は圧縮ばね１５の付勢力により矢印Ｆ方向に移動し、これにより操作シリンダ１０は矢印Ｇ方向に移動して元の位置に復帰する。ピストン６が矢印Ｆ方向に移動するとき、空気抵抗によってピストン６はカップ形状が閉じる（直径が小さくなる）ように変形してシリンダ５とピストン６との間に隙間が形成されて気密状態が解除され、図においてピストン６の右側のあった空気は矢印Ｈ方向にピストン６の左側に移動する。
【００４２】操作シリンダ１０を矢印Ｃ及びＧ方向に移動させる操作を数回程度繰り返し行うと、シリンダ５内の空気は圧縮されて空気ボンベ３の空気室１８内に流入し、次第に圧力が高められて該空気室１８内に貯蔵される。空気室１８内の圧縮空気は、矢印Ｉ方向に力を作用させるが、入力側は逆止弁２７によって流出が阻止され、また出力側に設けられた開閉弁２９は閉じているので、圧縮された空気は、圧縮空気として空気室１８内に貯蔵される。
【００４３】図８及び図９において、ノズル４の先端部４ｂを口腔８５内に挿入して吐出穴４ａを歯８５ａに対向させた後、レバー２５を矢印Ａ方向に回動させて開閉弁２９を開き、貫通穴２２ａと連通穴１６ｄとを連通させると、空気室１８内に貯蔵されていた圧縮空気は、ノズル４の吐出穴４ａ内に矢印Ｊの如く流入し、ジェット流となって矢印Ｌ方向に吐出され、口腔８５内を洗浄する。
口腔洗浄具１は小型であるので、簡単に片方の手８５ｂで保持することができ、操作シリンダ１０の操作及び洗浄操作を容易に行うことができる。
【００４４】本発明の第２実施例の口腔洗浄具３０は、図１３において、空気圧縮ポンプ３１による空気圧縮の操作方法が、第１実施例の口腔洗浄具１と異なる。即ち、揺動リンク３６の他の一端３６ｃを手動操作し、支軸３５を中心として矢印Ｍ方向に揺動させて長穴３６ｂに摺動自在に嵌合するピン３８を介してピストンロッド３２及びピストン６をシリンダ５中で往復動させて空気を圧縮し、空気圧縮ポンプ３１に接続されている空気ボンベ３の空気室１８内に貯蔵させる。その他の機能については、第１実施例の口腔洗浄具１と同様であるので、説明を省略する。
【００４５】本発明の第３実施例の口腔洗浄具４０は、図１７及び図１８において、逃がし弁５３を閉じ、開閉弁２９を開いた状態で、空気圧縮ポンプ２の操作シリンダ１０を手動操作してシリンダ５中の空気を圧縮空気室４４内に圧送すると、ピストン４３は該圧縮空気に押圧されて図において左方向に圧縮ばね５７の力に抗し、該圧縮ばね５７が密着するまで移動して左端に達する。
【００４６】ここで、ノズル４の先端部４ｂを、容器に満たした洗浄液中に挿入した後、逃がし弁５３を開くと、ピストン４３は圧縮ばね５７の力によって図１７において、右方向に移動し、圧縮空気室４４内の圧縮空気を矢印Ｒ方向に外部に排出し、それに伴なってノズル４の吐出穴４ａから該洗浄液を吸引して圧縮液体室４５を満たす。一方、ピストン６及び操作シリンダ１０は、圧縮ばね１５の付勢力によって夫々矢印Ｏ及びＰ方向に移動して元の位置に復帰する。
【００４７】開閉弁２９及び逃がし弁５３を閉じた後、再び操作シリンダ１０を手動操作してシリンダ５中の空気を圧縮空気室４４内に圧送して該圧縮空気室４４に圧縮空気を貯蔵する。これによってピストン４３は、圧縮空気によって圧縮液体室４５方向に押圧され、圧縮液体室４５に貯溜されている洗浄液は加圧された状態で該圧縮液体室４５内に貯溜される。
【００４８】図１８において、ノズル４の先端部４ｂを口腔８５内に挿入して吐出穴４ａを歯８５ａに対向させた後、レバー２５を矢印Ａ方向に回動させて貫通穴２２ａと連通穴１６ｄとを連通させ、開閉弁２９を開くと、圧縮液体室４５内に貯蔵されていた洗浄液５８は、ノズル４の吐出穴４ａからジェット流となって吐出され、口腔８５内を効果的に洗浄する。
【００４９】本発明の第４実施例の口腔洗浄具６０は、図２０及び図２２において、カートリッジ式空気ボンベ６２の雌ねじ６５ａに空気圧縮ポンプ６１の雄ねじ７３ｂを螺合させてカートリッジ式空気ボンベ６２と空気圧縮ポンプ６１とを接続する。そして操作シリンダ１０を手動操作してピストン６をシリンダ５中で左方向に移動させると、シリンダ５内の空気は圧縮され、逆止弁７２のボール７０を圧縮ばね７１の力に抗して押圧して開き、カートリッジ式空気ボンベ６２の圧力室６８内に流入して圧縮空気として貯蔵される。
【００５０】図２３において、カートリッジ式空気ボンベ６２と空気圧縮ポンプ６１とを離間させた後、カートリッジ式空気ボンベ６２の雌ねじ６５ａにノズル６３の雄ねじ７４ａを矢印Ｓ方向に螺合させて組み付ける。図２４において、カートリッジ式空気ボンベ６２とノズル６３とが組み付けられると、凸部７４ｆがボール７０を圧縮ばね７１の力に抗して押圧し逆止弁７２を解放した状態とするので、カートリッジ式空気ボンベ６２内の圧縮空気は逆止弁７２を通過して矢印Ｕ方向に流れる。
【００５１】次いで、図２５において、ノズル４の先端部４ｂを口腔８５内に挿入して吐出穴４ａを歯８５ａに対向させた後、レバー２５を矢印Ａ方向に回動させて開閉弁７６を開き、貫通穴７８ａと連通穴７４ｃとを連通させると、カートリッジ式空気ボンベ６２内の圧縮空気はノズル４の吐出穴４ａからジェット流となって矢印Ｖ方向に吐出され、口腔８５内を効果的に洗浄する。
【００５２】カートリッジ式空気ボンベ６２内の圧縮空気がなくなったときには、圧縮空気が貯蔵されている新しいカートリッジ式空気ボンベ６２に交換するだけで、空気圧縮ポンプ６１による空気の圧縮作業を行わずに口腔洗浄具６０を使用することができる。
【００５３】本発明の第５実施例の口腔洗浄具８０は、図１において、空気ボンベ３からノズル４を取り外し、空気ボンベ３の雄ねじ１６ｇにブラシ部材８１の雌ねじ８１ｄを螺合させて空気ボンベ３とブラシ部材８１とを組み付けて固定する。ブラシ部材８１に植毛された毛８１ａを歯８５ａに当接させてブラッシングしながら、レバー２５を矢印Ａ方向に回動させると、空気ボンベ３内に貯蔵されている圧縮空気が吐出孔８１ｂから勢いよく吐出されて、口腔８５内はブラッシングとジェット流との相乗効果によって効果的に洗浄される。
【００５４】
【発明の効果】
本発明は、上記のようにボンベ中に圧縮して貯蔵されている圧縮流体をノズルから吐出させるようにしたので、ジェット流で歯垢や歯間に挟まった食べ物の滓を除去することができる効果があり、またこの結果短時間で効果的に口腔内を清浄にすることができるという効果が得られる。
【００５５】またシリンダに気密にかつ往復動可能に嵌合したピストンを、操作シリンダを手動操作して往復動させることによりシリンダ中で往復動させて空気を圧縮するようにしたので、電気等の特別の駆動源を用いることなく、どこでも、且つ簡単に圧縮空気を製造して空気ボンベに貯溜することができるという効果があり、また該空気ボンベにノズルを接続し、該ノズルから圧縮空気を吐出させて口腔内を清浄にすることができる効果がある。
また歯科医院等の専門施設に行かなくても、簡便に使用することができる安価、かつ小型で容易に携帯することができる口腔洗浄具を提供できる効果がある。
【００５６】更には、シリンダに気密にかつ往復動自在に嵌合する逆止弁機能を有するピストンに、ピストンロッドの一端を固定し、他の一端を揺動リンクに連結して空気圧縮ポンプを構成し、該揺動リンクを手動で揺動させてピストンをシリンダ中で往復動させて空気を圧縮するようにしたので、誰でも極めて容易に操作することができる操作性の優れた手動の空気圧縮ポンプを提供し得る効果がある。
また該空気圧縮ポンプで圧縮した空気を空気ボンベに貯蔵しておき、開閉弁を開放してノズルから吐出させることで、効果的に口腔を洗浄することができる口腔洗浄具を動力源のない場所でも簡単に使用することができるようになり、また空気ボンベに貯蔵した圧縮空気が消費されてなくなっても、単に手動で揺動リンクを揺動させるだけで、補給することができるという効果がある。
【００５７】またボンベの貯溜室内をピストンにより圧縮空気室と圧縮液体室とに隔離し、圧縮空気室に空気圧縮ポンプを連通させて圧縮空気を供給して貯蔵すると共に、圧縮液体室をノズルに接続するようにしたので、圧縮液体室に貯溜させた洗浄液を圧縮空気の圧力を利用して該ノズルから勢いよく吐出させ、口腔内を洗浄液によって効果的に洗浄することができるという効果がある。
【００５８】更には、貯溜する圧縮空気が外部に流出するのを阻止する逆止弁が設けられたカートリッジ式空気ボンベの接続口に、手動操作して空気を圧縮する空気圧縮ポンプ及び接続したとき逆止弁を開放してカートリッジ式空気ボンベと連通させるノズルとを交換して接続できるようにしたので、予め空気圧縮ポンプでカートリッジ式空気ボンベ中に圧縮空気を貯蔵して用意しておき、使用時にはカートリッジ式空気ボンベとノズルとを接続して該カートリッジ式空気ボンベに貯蔵されていた圧縮空気をノズルから吐出させて口腔内を洗浄することができるという効果がある。
また口腔洗浄具の携帯に先立って、空気圧縮ポンプを用いて複数本のカートリッジ式空気ボンベに圧縮空気を貯溜しておき、空気圧縮ポンプは携帯せず、カートリッジ式空気ボンベとノズルを携帯するだけで、どこでも容易に口腔洗浄具を使用することができるという効果が得られる。
【００５９】また表面に多数本の毛が植毛されると共に、小径の吐出孔が形成されたブラシ部材をボンベに装着することができるように構成し、ノズルに変えて該ボンベに装着するようにしたので、多数本の毛で歯をブラッシングしながら、ボンベに貯溜されている圧縮空気を吐出孔から吐出させ、ブラッシングとジェット流との相乗効果で口腔内を極めて短時間で清浄に洗浄することができるという効果がある。
【図面の簡単な説明】
【図１】図１から図９は本発明の第１実施例に係り、図１は口腔洗浄具の斜視図である。
【図２】口腔洗浄具の分解斜視図である。
【図３】口腔洗浄具の縦断面図であり、
（ａ）は空気圧縮ポンプの縦断面図、
（ｂ）は空気ボンベの縦断面図、
（ｃ）はノズルの縦断面図、
（ｄ）はブラシ部材の縦断面図である。
【図４】空気ボンベの開閉弁の詳細を示す部分横断面図である。
【図５】空気ボンベの開閉弁の開閉状態を示す部分横断面図である。
【図６】空気圧縮ポンプの操作シリンダを手動で押圧して空気を圧縮する状態を示す縦断面図である。
【図７】逆止弁によって圧縮空気が流出が阻止されて圧縮空気が空気ボンベ内に貯蔵されると共に操作シリンダが元の位置に復帰する状態を示す縦断面図である。
【図８】開閉弁を開放してノズルから圧縮空気を噴出させる状態を示す縦断面図である。
【図９】口腔洗浄具を用いてノズルから噴出する圧縮空気流によって口腔を洗浄している状態を示す縦断面図である。
【図１０】図１０から図１３は本発明の第２実施例に係り、図１０は口腔洗浄具の平面図である。
【図１１】口腔洗浄具の縦断面図である。
【図１２】図１１のＸＩＩ−ＸＩＩ矢視縦断面図である。
【図１３】揺動リンクを手動操作して空気を圧縮する状態を示す縦断面図である。
【図１４】図１４から図１８は本発明の第３実施例に係り、図１４はボンベの平面図である。
【図１５】ボンベの貯溜室内がピストンにより圧縮空気室と圧縮流体室とに隔離された状態を示す縦断面図である。
【図１６】ボンベの逃がし弁を示す部分縦断面図である。
【図１７】口腔洗浄具の縦断面図である。
【図１８】口腔洗浄具を用いて口腔内を洗浄している状態を示す縦断面図である。
【図１９】図１９から図２５は本発明の第４実施例に係り、図１９はカートリッジ式空気ボンベの斜視図である。
【図２０】カートリッジ式空気ボンベの縦断面図である。
【図２１】ノズルの縦断面図である。
【図２２】空気圧縮ポンプの縦断面図である。
【図２３】ノズルにカートリッジ式空気ボンベを接続する状態を示す縦断面図である。
【図２４】逆止弁が開放されカートリッジ式空気ボンベから圧縮空気がノズルに供給される状態を示す縦断面図である。
【図２５】開閉弁を開放してカートリッジ式空気ボンベからの圧縮空気がノズルから噴出する状態を示す縦断面図である。
【符号の説明】
１　　口腔洗浄具
２　　空気圧縮ポンプ
３　　空気ボンベ
４　　ノズル
５　　シリンダ
６　　ピストン
８　　ピストンロッド
８ａ　ピストンロッドの一端
８ｂ　ピストンロッドの他の一端
１０　　操作シリンダ
１８　　空気室
２７　　逆止弁
２９　　開閉弁
３０　　口腔洗浄具
３１　　空気圧縮ポンプ
３６　　揺動リンク
４０　　口腔洗浄具
４１　　ボンベ
４２　　貯溜室
４３　　ピストン
４４　　圧縮空気室
４５　　圧縮液体室
５０　　口腔洗浄具
５１　　逆止弁
５３　　逃がし弁
５８　　圧縮液体
６０　　口腔洗浄具
６１　　空気圧縮ポンプ
６２　　カートリッジ式空気ボンベ
６３　　ノズル
６５ａ　接続口たる雌ねじ
７２　　逆止弁
７６　　開閉弁
８０　　口腔洗浄具
８１　　ブラシ部材
８１ａ　毛
８１ｂ　吐出孔
８１ｃ　ねじ穴
【図１】
2004073558.tif 000003
【図２】
2004073558.tif 000004
【図３】
2004073558.tif 000005
【図４】
2004073558.tif 000006
【図５】
2004073558.tif 000007
【図６】
2004073558.tif 000008
【図７】
2004073558.tif 000009
【図８】
2004073558.tif 000010
【図９】
2004073558.tif 000011
【図１０】
2004073558.tif 000012
【図１１】
2004073558.tif 000013
【図１２】
2004073558.tif 000014
【図１３】
2004073558.tif 000015
【図１４】
2004073558.tif 000016
【図１５】
2004073558.tif 000017
【図１６】
2004073558.tif 000018
【図１７】
2004073558.tif 000019
【図１８】
2004073558.tif 000020
【図１９】
2004073558.tif 000021
【図２０】
2004073558.tif 000022
【図２１】
2004073558.tif 000023
【図２２】
2004073558.tif 000024
【図２３】
2004073558.tif 000025
【図２４】
2004073558.tif 000026
【図２５】
2004073558.tif 000027